(57)【要約】【課題】  システムを極めて簡素化し、システムを構築するための手間やコストを増大させることなく、不注意による医療事故を確実に防止する。【解決手段】  受付側端末１０により、患者情報の入力受付と患者ＩＤを示すバーコード１４を付したリストバンド１５の発行とを行い、患者に対する診察後に、患者情報に処方内容が追加された患者関連情報を有する二次元コード２１が付された処方箋２０を発行し、薬剤調合側端末３０により、処方箋２０に記載されている薬剤の種類に応じて、これらの薬剤に付すための処方箋２０の二次元コード２１の内容に応じたバーコード３６を付した識別ラベル３４を発行し、患者に対して薬剤による医療行為が行われるとき、リストバンド１５の患者ＩＤを示すバーコード１４と薬剤に付された識別ラベル３４のバーコード３６とを照合用スキャナ５０によって照合するようにする。【選択図】  図１
2006185143.tif 000002
【特許請求の範囲】
【請求項１】
患者情報の入力受付と患者ＩＤを示す第１コード情報の発行とを行う受付側端末と、
前記患者情報に処方内容が追加された患者関連情報を有する二次元コードが付された処方箋と、
前記処方箋に記載されている薬剤の種類に応じて、これらの薬剤に付すための前記処方箋の二次元コードの内容に応じた第２コード情報を発行する薬剤調合側端末と、
患者に対して前記薬剤による医療行為が行われるとき、前記患者ＩＤを示す第１コード情報と前記薬剤に付された第２コード情報とを照合する照合用スキャナとを備える
ことを特徴とする医療過誤防止システム。
【請求項２】
前記受付側端末は、
前記患者情報である少なくとも患者の氏名、生年月日、性別、患者ＩＤの入力を受け付けるとともに、前記患者ＩＤを示す第１コード情報の発行指示を出す機能を有する情報処理端末と、
前記発行指示を受け取ると、前記患者ＩＤを示す第１コード情報を付したリストバンドを発行するリストバンド発行用プリンタとを有し、
前記薬剤調合側端末は、
前記処方箋の二次元コードを読み取るスキャナと、
前記スキャナによって読み取られた前記二次元コードの内容に応じる第２コード情報を付した識別ラベルを、ラベル発行枚数に応じて発行するラベル発行用プリンタとを有し、
前記識別ラベルが前記薬剤に貼着され、患者に対して前記薬剤による医療行為が行われるとき、前記照合用スキャナにより、前記リストバンドの第１コード情報と前記識別ラベルの第２コード情報とが照合される
ことを特徴とする請求項１に記載の医療過誤防止システム。
【請求項３】
少なくとも患者の氏名、生年月日、性別、患者ＩＤを示す患者情報の入力が受け付けられる工程と、
前記患者ＩＤを示す第１コード情報を付したリストバンドが発行される工程と、
前記患者情報に処方内容が追加された患者関連情報を有する二次元コードが付された処方箋が発行される工程と、
前記処方箋に記載されている薬剤の種類に応じて、これらの薬剤に付すための前記処方箋の二次元コードの内容に応じた第２コード情報が発行される工程と、
患者に対して前記薬剤による医療行為が行われるとき、前記患者ＩＤを示す第１コード情報と前記薬剤に付された第２コード情報とが照合される工程とを有する
ことを特徴とする医療過誤防止方法。
【発明の詳細な説明】
【技術分野】
【０００１】
本発明は、病院、医療施設、介護施設等における医療現場での医療過誤を防止する医療過誤防止システムおよびその方法に関する。
【背景技術】
【０００２】
病院、医療施設、介護施設等においては、医師が、患者を診察して処方を決定し、カルテを発行すると、そのカルテに従い看護士による医療行為が患者に施されている。コンピュータの導入により、処方を、電子情報として記録管理している場合には、医師がコンピュータに投薬名、医療行為の内容等を入力すると、その電子情報化された医師の処方に従い看護士による医療行為が実施される。
【０００３】
この場合、看護士がその電子情報化された医師の処方を一度、紙に出力し、出力された内容を確認して医療行為を施すか、あるいは、デイスプレイに表示された内容を確認して医療行為を施している。また、その電子情報化された医師の処方は、各種医療情報として保存されたり、薬剤師による薬剤の調合や会計等の医療事務に利用されたりしている。
【０００４】
ところで、このような医療行為は、看護士が医師からの処方内容を目視確認することで実施されるため、病名の異なる患者を取り違え、間違ったまま薬を投与したりするという医療事故が多数報告されている。
【０００５】
すなわち、患者の治療に用いるたとえば注射薬の場合では、アンプル、バイアル、輸液ボトル等があり、これらは医師の注射処方箋に基づき薬剤部で患者別のトレイに１人分ずつ準備され、薬剤師が監査した後、トレイごと病棟へ運ばれ、病棟で患者に投与するまで保管される。
【０００６】
注射薬を患者に投与する場合は、アンプル、バイアルの薬剤を注射シリンジにより直接投与する場合と、輸液ボトルの中にアンプル、バイアルの薬剤を混合させ点滴により投与する場合とがある。注射シリンジにより薬剤を患者に投与する場合、病棟の看護士は、複数保管されているトレイの中から処置すべき患者のトレイを選び、そのトレイに入れられている注射処方箋に基づいてトレイからアンプルやバイアルを取り出し、予め注射シリンジに薬剤を移し変えてから、その注射シリンジを持って患者のもとに行く。
【０００７】
点滴により薬剤を患者に投与する場合も同様に、病棟の看護士は、複数保管されているトレイの中から処置すべき患者のトレイを選び、そのトレイに入れられている注射処方箋に基づいてトレイからアンプルやバイアルを取り出して輸液ボトルに混合し、その輸液ボトルを持って患者のもとに行く。
【０００８】
ところが、薬剤部から病棟に行くまでの間は、注射処方箋と注射薬との両方が同じトレイの中に入れられており、しかも注射処方箋には患者名等の患者を特定できる情報が記載されているので、トレイの中にある注射薬を別の患者の注射薬と間違える心配はないが、看護士が薬剤を注射シリンジに移し変えた後や輸液ボトルに混合した後は、注射シリンジや輸液ボトルがトレイ、すなわち注射処方箋から離れてしまうため、注射シリンジや輸液ボトルを別の患者の注射薬と間違えてしまう可能性がある。
【０００９】
このような間違いは、不注意によるところが大きいため、他の看護士同士による２重チェックを実施しようとするルールを定めているところもあるが、実際には忙しすぎて、確実に運用されなかったり、あるいは確認作業はしているものの、見落としが発生することも少なくない。
【００１０】
そこで、特許文献１では、患者に対し施される医療行為計画の情報を備えたメインコンピュータと、メインコンピュータとの間で医療行為に関する情報を送受信し、医療行為の内容を表示し、認識装置からの情報と医療行為計画の情報とを照合し、必要に応じ照合結果を出力し、医療行為の実績を実績情報として記憶する携帯型コンピュータと、医療行為を特定する情報を取りこみ、その情報を携帯型コンピュータに送信する認識装置と、を備え、医療行為計画の情報と認識装置が取りこんだ情報とを照合し、施されようとしている医療行為が間違いないかをチェックし記録するようにした医療行為事故防止支援システムを提案している。
【特許文献１】特開２００１−３１２５６６号公報
【発明の開示】
【発明が解決しようとする課題】
【００１１】
ところが、上述した特許文献１に示される医療行為事故防止支援システムでは、患者に対する情報を保持するメインコンピュータと、このメインコンピュータからの情報を受信したりする携帯型コンピュータと、医療行為を特定する情報を携帯型コンピュータに送信する認識装置とを備えているため、システムが大がかりなものとなってしまう。
【００１２】
すなわち、メインコンピュータと、携帯型コンピュータと、認識装置とは、オンライン等により相互に情報のやり取りを行う必要があり、そのためのインフラを構築しなければならないので、システムを構築するための手間やコストが増大してしまうという問題がある。
【００１３】
解決しようとする課題は、メインコンピュータ（ホスト）と複数の端末コンピュータとをオンラインで接続することによってシステムが大がかりになり、システムを構築するための手間やコストが増大することを回避するとともに、医療事故を防止する医療過誤防止システムおよびその方法を提供することにある。
【課題を解決するための手段】
【００１４】
本発明の医療過誤防止システムは、患者情報の入力受付と患者ＩＤを示す第１コード情報の発行とを行う受付側端末と、前記患者情報に処方内容が追加された患者関連情報を有する二次元コードが付された処方箋と、前記処方箋に記載されている薬剤の種類に応じて、これらの薬剤に付すための前記処方箋の二次元コードの内容に応じた第２コード情報を発行する薬剤調合側端末と、患者に対して前記薬剤による医療行為が行われるとき、前記患者ＩＤを示す第１コード情報と前記薬剤に付された第２コード情報とを照合する照合用スキャナとを備えることを特徴とする。
また、前記受付側端末は、前記患者情報である少なくとも患者の氏名、生年月日、性別、患者ＩＤの入力を受け付けるとともに、前記患者ＩＤを示す第１コード情報の発行指示を出す機能を有する情報処理端末と、前記発行指示を受け取ると、前記患者ＩＤを示す第１コード情報を付したリストバンドを発行するリストバンド発行用プリンタとを有し、前記薬剤調合側端末は、前記処方箋の二次元コードを読み取るスキャナと、前記スキャナによって読み取られた前記二次元コードの内容に応じる第２コード情報を付した識別ラベルを、ラベル発行枚数に応じて発行するラベル発行用プリンタとを有し、前記識別ラベルが前記薬剤に貼着され、患者に対して前記薬剤による医療行為が行われるとき、前記照合用スキャナにより、前記リストバンドの第１コード情報と前記識別ラベルの第２コード情報とが照合されるようにすることができる。
本発明の医療過誤防止方法は、少なくとも患者の氏名、生年月日、性別、患者ＩＤを示す患者情報の入力が受け付けられる工程と、前記患者ＩＤを示す第１コード情報を付したリストバンドが発行される工程と、前記患者情報に処方内容が追加された患者関連情報を有する二次元コードが付された処方箋が発行される工程と、前記処方箋に記載されている薬剤の種類に応じて、これらの薬剤に付すための前記処方箋の二次元コードの内容に応じた第２コード情報が発行される工程と、患者に対して前記薬剤による医療行為が行われるとき、前記患者ＩＤを示す第１コード情報と前記薬剤に付された第２コード情報とが照合される工程とを有するようにすることができる。
本発明に係る医療過誤防止システムでは、受付側端末により、患者情報の入力受付と患者ＩＤを示す第１コード情報の発行とが行われ、患者に対する診察後に、患者情報に処方内容が追加された患者関連情報を有する二次元コードが付された処方箋が発行されると、薬剤調合側端末により、処方箋に記載されている薬剤の種類に応じて、これらの薬剤に付すための処方箋の二次元コードの内容に応じた第２コード情報が発行され、患者に対して薬剤による医療行為が行われるとき、患者ＩＤを示す第１コード情報と薬剤に付された第２コード情報とが照合用スキャナによって照合される。
【発明の効果】
【００１５】
本発明の医療過誤防止システムによれば、受付側端末により、患者情報の入力受付と患者ＩＤを示す第１コード情報の発行とが行われ、患者に対する診察後に、患者情報に処方内容が追加された患者関連情報を有する二次元コードが付された処方箋が発行されると、薬剤調合側端末により、処方箋に記載されている薬剤の種類に応じて、これらの薬剤に付すための処方箋の二次元コードの内容に応じた第２コード情報が発行され、患者に対して薬剤による医療行為が行われるとき、患者ＩＤを示す第１コード情報と薬剤に付された第２コード情報とが照合用スキャナによって照合されるようにしたので、システムを極めて簡素化することができ、システムを構築するための手間やコストを増大させることなく、不注意による医療事故を確実に防止することができる。
【発明を実施するための最良の形態】
【００１６】
本実施形態では、受付側端末により、患者情報の入力受付と患者ＩＤを示す第１コード情報の発行とが行われ、患者に対する診察後に、患者情報に処方内容が追加された患者関連情報を有する二次元コードが付された処方箋が発行されると、薬剤調合側端末により、処方箋に記載されている薬剤の種類に応じて、これらの薬剤に付すための処方箋の二次元コードの内容に応じた第２コード情報が発行され、患者に対して薬剤による医療行為が行われるとき、患者ＩＤを示す第１コード情報と薬剤に付された第２コード情報とが照合用スキャナによって照合されるようにし、システムを極めて簡素化することで、システムを構築するための手間やコストを増大させることなく、不注意による医療事故を確実に防止することができるようにした。
【００１７】
以下、本発明の実施の形態について説明する。
図１は、本発明の医療過誤防止システムの一実施形態を説明するための図、図２は、図１の医療過誤防止システムにおけるリストバンドの発行を説明するための図、図３は、図１の処方箋を示す図、図４は、図１の処方箋の二次元コードの内容に応じた第２コード情報が付された識別ラベルを発行する場合を説明するための図、図５は、図４の識別ラベルを示す図、図６は、図１の医療過誤防止システムにおけるリストバンドのバーコードと薬剤のバーコードとの照合を説明するための図、図７は、図１の医療過誤防止システムにおける医療過誤防止方法を説明するためのフローチャートである。
【００１８】
図１に示すように、医療過誤防止システムは、受付側端末１０、処方箋２０、薬剤調合側端末３０、照合用スキャナ５０を備えている。ここで、これら受付側端末１０、処方箋２０、薬剤調合側端末３０、照合用スキャナ５０は、オンライン等によって情報のやり取りが行われるものではなく、各々が独立して存在しているものである。そのため、従来のように、通信によって情報のやり取りを行う必要がなく、そのためのインフラを構築する必要がない。
【００１９】
受付側端末１０は、病院、医療施設、介護施設等の受付に設けられ、患者情報の入力受付と患者ＩＤを示す第１コード情報の発行とを行うものであり、図２に示すように、少なくとも情報処理端末としてのパソコン１１とリストバンド発行用プリンタ１２とを備えている。パソコン１１により、少なくとも患者の保険番号、氏名、生年月日、性別、血液型、患者ＩＤを示す患者情報が入力されると、これらの患者情報がパソコン１１内に保存されるようになっている。
【００２０】
ここで、パソコン１１は、ノートパソコンやディスクトップパソコンを用いることができる。パソコン１１は、少なくとも患者の保険番号、氏名、生年月日、性別、血液型、患者ＩＤを示す患者情報の入力を受け付ける機能と、患者ＩＤを自動的に付与する機能と、リストバンド発行用プリンタ１２に対して発行指示を出す機能とがあればよく、比較的安価なもので十分である。また、患者情報は、パソコン１１内に保存される場合に限らず、外付けの記憶装置を用いて保存してもよい。
【００２１】
リストバンド発行用プリンタ１２は、パソコン１１からの発行指示があると、少なくとも患者の氏名１３と患者ＩＤを示す第１コード情報としてのバーコード１４を付したリストバンド１５を発行する。ここで、リストバンド発行用プリンタ１２は、少なくともリストバンド１５を発行する機能があればよく、比較的安価なもので十分である。
【００２２】
処方箋２０は、患者に対する診察後、医師によって操作される図示しないプリンタにより発行される用紙であり、図３に示すように、患者の保険番号、氏名、生年月日、性別、血液型、患者ＩＤ及び処方内容（内服）と、これらの患者関連情報がコード化された二次元コード２１とが付されている。ここで、患者関連情報は、上述した患者情報に処方内容（内服）が追加されたものである。また、二次元コード２１の内容は、少なくとも患者の氏名、患者ＩＤ及び処方内容であってもよい。
【００２３】
なお、この二次元コード２１は、たとえば医師が図示しないパソコン等の端末から少なくとも上記のバーコード１４の患者ＩＤと処方内容（内服）とを入力することで、バーコード１４の情報に処方内容（内服）が付加された情報を有するものとなる。また、この二次元コード２１は、たとえばＱＲコード（登録商標）のように、漢字、カナ、数字等がコード化されたものとすることができる。
【００２４】
薬剤調合側端末３０は、処方箋２０に記載されている薬剤の種類に応じて、これらの薬剤に付すための処方箋２０の二次元コード２１の内容に応じた第２コード情報を発行するものであり、少なくともスキャナとしてのハンディスキャナ３１と、パソコン３２と、ラベル発行用プリンタ３３とを備えている。なお、ラベル発行用プリンタ３３がハンディスキャナ３１によって読み取られた二次元コード２１の内容に応じて自動的に第２コード情報を発行するものであれば、パソコン３２は不要である。
【００２５】
ハンディスキャナ３１は、図４に示すように、医師によって発行された処方箋２０の患者関連情報がコード化された二次元コード２１を読み取るものである。パソコン３２は、少なくともハンディスキャナ３１によって読み取られた患者関連情報がコード化された二次元コード２１の内容に応じた第２コード情報をラベル発行用プリンタ３３に対して印字させる機能と、ラベル発行枚数の入力を促す機能とを有している。なお、ラベル発行枚数は、処方箋２０に記載されている薬剤の種類に応じて薬剤師が入力すればよい。
【００２６】
パソコン３２は、ノートパソコンやディスクトップパソコンを用いることができる。パソコン３２は、少なくともハンディスキャナ３１によって読み取られた患者関連情報を有する二次元コード２１の内容に応じた第２コード情報をラベル発行用プリンタ３３に対して印字させる機能と、ラベル発行枚数の入力を促す機能とがあればよく、比較的安価なもので十分である。
【００２７】
ラベル発行用プリンタ３３は、パソコン３２からの発行指示に基づき、入力されたラベル発行枚数に応じた識別ラベル３４を発行する。これらの識別ラベル３４には、処方箋２０の患者関連情報を有する二次元コード２１の内容に応じた第２コード情報が印字されている。この第２コード情報には、患者ＩＤを示すバーコード３６、患者氏名、薬剤名などが印字されている。これらの識別ラベル３４は、薬剤名が印字されているので、点滴パック４０や薬剤ビン４１等に印字されている薬剤名を確認しながら薬剤の表面に貼着することができる。図５は、錠剤の内容を示す識別ラベル３４が発行される場合であり、その識別ラベル３４は台紙３５に仮着されているため、識別ラベル３４を台紙３５から剥がすことで薬剤ビン４１等に貼着できるようになっている。
【００２８】
照合用スキャナ５０は、看護士が携帯するものであり、図６に示すように、患者に対してたとえば点滴パック４０による医療行為が行われるとき、患者のリストバンド１５の患者ＩＤを示すバーコード１４と、点滴パック４０に貼着された識別ラベル３４の患者ＩＤを示すバーコード３６とを読み取って照合する機能と、照合結果がＯＫか又はＮＧかを表示する表示部５１とを有している。なお、照合結果は、表示部５１による表示に限らず、信号音、音声、光の点滅等で報知するようにしてもよい。
【００２９】
次に、以上のような医療過誤防止システムによる医療過誤防止方法について説明する。
まず、図７に示すように、受付にて、パソコン１１により、少なくとも患者の保険番号、氏名、生年月日、性別、血液型、患者ＩＤを示す患者情報が入力された後（ステップＳ１）、リストバンド発行用プリンタ１２に対して発行指示が出されると、リストバンド発行用プリンタ１２から少なくとも患者の氏名１３や患者ＩＤを示すバーコード１４が付（印字）されたリストバンド１５が発行される（ステップＳ２）。
【００３０】
次いで、患者が医師の診察を受けると、医師の操作によって動作する図示しないプリンタにより、患者の保険番号、氏名、生年月日、性別、血液型、患者ＩＤ及び処方内容（内服）と、これらの患者関連情報がコード化された二次元コード２１とが付された処方箋２０が発行される（ステップＳ３）。
【００３１】
なお、その二次元コード２１は、たとえば医師が図示しないパソコン等の端末から少なくとも上記のバーコード１４の患者ＩＤと処方内容（内服）とを入力することで、バーコード１４の情報に処方内容（内服）が付加された情報を有する二次元コード２１が処方箋２０の所定の位置に印字される。
【００３２】
次いで、その処方箋２０が薬剤師に渡ると、薬剤師がハンディスキャナ３１により、医師によって発行された処方箋２０の二次元コード２１を読み取る（ステップＳ４）。このとき、ハンディスキャナ３１によって読み取られた二次元コード２１からパソコン３２が患者ＩＤを把握すると、パソコン３２によりラベル発行枚数の入力が促される。
【００３３】
ここで、薬剤師が処方箋２０に記載されている薬剤の種類に応じてラベル発行枚数を入力すると、パソコン３２からラベル発行用プリンタ３３に対して発行指示が出される。そして、ラベル発行用プリンタ３３により、パソコン３２からの発行指示に基づき、入力されたラベル発行枚数に応じた識別ラベル３４が発行される（ステップＳ５）。この場合、処方箋２０に記載されている薬剤が１個の場合は、識別ラベル３４が１枚発行され、その薬剤が３個以上の場合は、識別ラベル３４が３枚以上発行される。
【００３４】
このとき、識別ラベル３４には、処方箋２０の二次元コード２１の内容に応じた情報を有するバーコード３６が印字される。識別ラベル３４が発行された場合、直ちに識別ラベル３４を、処方箋２０に記載されている薬剤に応じた点滴パック４０や薬剤ビン４１等の表面に貼着する（ステップＳ６）。
【００３５】
このように、識別ラベル３４が発行された後、薬品名が印字された識別ラベル３４を点滴パック４０や薬剤ビン４１等に確認しながら薬剤の表面に貼着することで、処方箋２０に記載されている薬剤を取り違えることなく確実に患者ＩＤに対応させることができる。
【００３６】
そして、看護士により、実際にたとえば点滴パック４０による医療行為が行われる際、看護士が照合用スキャナ５０により、患者のリストバンド１５の患者ＩＤを示すバーコード１４と、点滴パック４０に貼着された識別ラベル３４の患者ＩＤを示すバーコード３６とを読み取って照合する（ステップＳ７）。
【００３７】
このとき、照合により（ステップＳ８）、患者のリストバンド１５の患者ＩＤを示すバーコード１４と、点滴パック４０に貼着された識別ラベル３４の患者ＩＤを示すバーコード３６とが一致していれば、照合用スキャナ５０の表示部５１に照合結果がＯＫである内容が表示されるため（ステップＳ９）、看護士は患者に対して確実にたとえば点滴パック４０による医療行為を行うことができる。
【００３８】
これに対し、患者のリストバンド１５の患者ＩＤを示すバーコード１４と、点滴パック４０に貼着された識別ラベル３４の患者ＩＤを示すバーコード３６とが一致しなければ、照合用スキャナ５０の表示部５１に照合結果がＮＧである内容が表示されるため（ステップＳ１０）、看護士はその点滴パック４０が別の患者のものであることを即座に認識することができる。
【００３９】
このように、本実施形態では、受付側端末１０により、少なくとも患者の保険番号、氏名、生年月日、性別、血液型、患者ＩＤである患者情報の入力受付と患者ＩＤを示す第１コード情報であるバーコード１４を付したリストバンド１５の発行とを行い、患者に対する診察後に、患者情報に処方内容が追加された患者関連情報を有する二次元コード２１が付された処方箋２０を発行し、薬剤調合側端末３０により、処方箋２０に記載されている薬剤の種類に応じて、これらの薬剤に付すための処方箋２０の二次元コード２１の内容に応じたバーコード３６を付した識別ラベル３４を発行し、患者に対して薬剤による医療行為が行われるとき、リストバンド１５の患者ＩＤを示すバーコード１４と薬剤に付された識別ラベル３４のバーコード３６とを照合用スキャナ５０によって照合するようにしたので、不注意による医療事故を確実に防止することができる。
【００４０】
また、これら受付側端末１０、処方箋２０、薬剤調合側端末３０、照合用スキャナ５０は、オンライン等によって情報のやり取りが行われるものではなく、各々が独立して存在しているものであるため、従来のように、通信によって情報のやり取りを行う必要がなく、そのためのインフラを構築する必要がないことから、システムを極めて簡素化することができ、システムを構築するための手間やコストを増大させることもない。
【００４１】
また、本実施形態では、処方箋２０を用紙とした場合について説明したが、この例に限らず、処方箋２０の内容をフロッピーやＣＤ等の電子媒体に記憶させ、その電子媒体の内容を薬剤師が使用するパソコン３２で画面に表示させるとともに、画面に表示された処方箋２０に付されている二次元コード２１をハンディスキャナ３１によってスキャンさせようにしてもよい。
【００４２】
また、薬剤師が使用するパソコン３２に薬剤師に対応する薬剤師ＩＤを記憶させ、さらに薬剤師には薬剤師ＩＤがコード情報（バーコード）で付されたネームプレートを装着させておき、識別ラベル３４を発行するときに、そのネームプレートのコード情報をスキャンしてから処方箋２０の二次元コード２１をスキャンすることにより、識別ラベル３４に患者ＩＤを示すバーコード１４と、担当の薬剤師名とが印字されるようにしてもよい。これにより、だれが薬の調合を担当したかの判別が容易となる。
【００４３】
また、本実施形態では、識別ラベル３４に、特に薬品名が印字されることで、処方箋２０に書かれた薬品を保管場所から取り出した後、薬品と、識別ラベル３４に印字された薬品名とを確認しながら識別ラベル３４を薬品に貼着することができ、薬剤を取り違えることなく確実に患者ＩＤに対応させることができる。
【図面の簡単な説明】
【００４４】
【図１】本発明の医療過誤防止システムの一実施形態を説明するための図である。
【図２】図１の医療過誤防止システムにおけるリストバンドの発行を説明するための図である。
【図３】図１の処方箋を示す図である。
【図４】図１の処方箋の二次元コードの内容に応じた第２コード情報が付された識別ラベルを発行する場合を説明するための図である。
【図５】図４の識別ラベルを示す図である。
【図６】図１の医療過誤防止システムにおけるリストバンドのバーコードと薬剤のバーコードとの照合を説明するための図である。
【図７】図１の医療過誤防止システムにおける医療過誤防止方法を説明するためのフローチャートである。
【符号の説明】
【００４５】
１０  受付側端末
１１，３２  パソコン
１２  リストバンド発行用プリンタ
１４，３６  バーコード
１５  リストバンド
２０  処方箋
２１  二次元コード
３０  薬剤調合側端末
３１  ハンディスキャナ
３３  ラベル発行用プリンタ
３４  識別ラベル
４０  点滴パック
４１  薬剤ビン
５０  照合用スキャナ
【図１】
2006185143.tif 000003
【図２】
2006185143.tif 000004
【図３】
2006185143.tif 000005
【図４】
2006185143.tif 000006
【図５】
2006185143.tif 000007
【図６】
2006185143.tif 000008
【図７】
2006185143.tif 000009